(57)【要約】      （修正有）【課題】遮断解除操作に対して、誤操作防止のための処置を施し、一回のスイッチ操作で遮断状態が解除されないようにする。【解決手段】火災受信機における端末機器に対する連動機能、又は他の機器に対する移報機能に関する遮断状態の設定及び解除を可能に構成されている火災受信機の遮断解除装置において、遮断状態を解除する操作入力があったときに、解除操作を確認する確認メッセージ画面８０を表示する。また、連動機能に関する遮断は、一括連動遮断７１である。移報機能に関する遮断は、一括移報遮断７２又は非常放送遮断７３のいずれかである。【選択図】図４
2016148977.tif 000002
【特許請求の範囲】
【請求項１】
火災受信機における端末機器に対する連動機能、又は他の機器に対する移報機能に関する遮断状態の設定及び解除を可能に構成されている火災受信機の遮断解除装置において、
前記遮断状態を解除する操作入力があったときに、当該解除操作を確認する確認メッセージ画面を表示することを特徴とする火災受信機の遮断解除装置。
【請求項２】
前記連動機能に関する遮断は、一括連動遮断であることを特徴とする請求項１記載の火災受信機の遮断解除装置。
【請求項３】
前記移報機能に関する遮断は、一括移報遮断、又は非常放送遮断のいずれかであることを特徴とする請求項１又は２記載の火災受信機の遮断解除装置。
【発明の詳細な説明】
【技術分野】
【０００１】
この発明は、火災受信機の遮断解除装置に関する。
【背景技術】
【０００２】
従来から、端末機器を監視制御する火災受信機と、当該火災受信機と接続された防災表示装置とを備えた火災報知設備が知られている。
【０００３】
火災受信機には、端末機器間の連動データベースが設定されており、火災などが発生すると、火災感知器からの火災信号に応じて、連動関係にある防火戸等の被制御機器を制御する。また、火災受信機は、端末機器で火災などのイベントが発生したときに、イベント情報を防災表示装置に送信する。防災表示装置は、火災受信機から送信されるイベント情報を受信して、表示手段に建物内の状況を表示する（例えば特許文献１）。
【０００４】
ところで、このような防災表示装置は、遮断設定データベースを備えており、上述した火災受信機における端末機器に対する連動機能に関する遮断状態の設定及び解除を可能に構成されている。
【０００５】
例えば、通常時は、連動遮断操作により、火災受信機の連動機能を遮断状態に設定しておく。そして、火災感知器の発報時に、まず、ユーザが現場を確認し、誤報でないことを確認した上で、連動遮断解除操作により、火災受信機の連動機能の遮断状態を解除して、被制御機器を連動動作させる。このように、通常時に連動機能を遮断状態に設定しておけば、誤報時に被制御機器を連動動作させないようにすることができる。
【特許文献１】特開平５−２８３８０号公報
【発明の開示】
【発明が解決しようとする課題】
【０００６】
しかしながら、従来の防災表示装置において、連動遮断解除操作は、誤操作防止のための処置が施されておらず、一回のスイッチ操作で連動遮断が解除される構成であった。そのため、誤操作により連動遮断が解除されてしまう虞があった。
【０００７】
なお、防災表示装置には、上述した連動機能の他にも、火災受信機における他の機器に対する移報機能に関する遮断状態の設定及び解除を可能に構成されており、これらの遮断解除時においても、一回のスイッチ操作で遮断状態が解除されない構成としたい。
【０００８】
この発明は、遮断解除操作に対して、誤操作防止のための処置を施し、一回のスイッチ操作で遮断状態が解除されないようにすることを目的とする。
【課題を解決するための手段】
【０００９】
この発明は、火災受信機における端末機器に対する連動機能、又は他の機器に対する移報機能に関する遮断状態の設定及び解除を可能に構成されている火災受信機の遮断解除装置において、前記遮断状態を解除する操作入力があったときに、当該解除操作を確認する確認メッセージ画面を表示することを特徴とする。
【００１０】
また、前記連動機能に関する遮断は、一括連動遮断であることを特徴とする。また、前記移報機能に関する遮断は、一括移報遮断、又は非常放送遮断のいずれかであることを特徴とする。
【発明の効果】
【００１１】
この発明によれば、前記遮断状態を解除する操作入力があったときに、当該解除操作を確認する確認メッセージ画面を表示するように構成したので、一回のスイッチ操作で遮断状態が解除されなくなったので、誤操作により遮断状態が解除されてしまうことがなくなる。
【図面の簡単な説明】
【００１２】
【図１】この発明の実施の形態に係る防災表示装置を組み込んだ防災システム全体の構成を示すブロック図。
【図２】図１の火災受信機の構成を示すブロック図。
【図３】図１のＣＲＴ表示部の画面の基本構成を示す図。
【図４】遮断設定に関する各種画面の表示例と遮断状態の解除に関する動作フローとを示す図。
【発明を実施するための形態】
【００１３】
以下、この発明の実施の形態を図に基づいて説明する。図１はこの発明の実施の形態に係る防災表示装置を組み込んだ防災システム全体の構成を示すブロック図、図２は図１の火災受信機の構成を示すブロック図、図３は図１のＣＲＴ表示部の画面の基本構成を示す図、図４は遮断設定に関する各種画面の表示例と遮断状態の解除に関する動作フローとを示す図である。
【００１４】
図１はこの発明の実施の形態に係る防災表示装置１を組み込んだ防災システム全体の構成を示すブロック図である。図１において、１は防災表示装置、２は防災表示装置１が接続された火災受信機である。この防災表示装置１と火災受信機２は、一体化した構成としてもよい。
【００１５】
まず、火災受信機２について説明する。火災受信機２は、防災システム全体を統括するもので、建物内に設置された各種の端末機器、例えば煙感知器２０や熱感知器２１等の火災感知器、発信機２２、地区ベル装置２３、ガス漏れ検知器２４、防火戸２５や加圧排煙機（加圧給気機）２６や排煙機２７等の防排煙機器、消火ポンプ２８等が信号線を介して接続されている。これら端末機器には、それぞれ固有のアドレスが付与されている。
【００１６】
また、火災受信機２には、図２に示すように、端末機器以外の他の機器として、非常放送装置４０、表示機４１、及びその他の外部装置４２が信号線を介して接続されている。その他の外部装置４２は、例えば中央監視装置、リモート監視装置である。
【００１７】
火災受信機２は、通常時、アドレスをもって個々の端末機器を識別し、端末機器からのイベントに関する情報を収集し、その動作を制御する。そして、火災などが発生すると、火災感知器２０、２１などからの信号に応じて、連動データベース３５Ａ（後述する）などを参照して、連動関係にある防火戸２５などを制御したり、地区ベル装置２３を鳴動させる。また、移報データベース３５Ｂ（後述する）などを参照して、移報関係にある表示機４１、又はその他の外部装置４２に移報信号を出力したり、非常放送データベース３５Ｃ（後述する）などを参照して、移報関係にある非常放送装置４０に移報信号を出力する。
【００１８】
さらに、そういった端末機器の動作などに関するイベント情報を全て防災表示装置１に送信するようになっている。「イベント」とは、個々の端末機器自身に発生する諸々の事態であり、火災感知器２０、２１であれば火災発生の有無やその故障、防排煙機器２５、２６、２７であれば火災発生時の自己の動作や故障などが挙げられる。
【００１９】
図２は、図１の火災受信機２の構成を示すブロック図である。火災受信機２は、制御部３０と、インターフェース部３１と、インターフェース部３２と、表示部３３と、操作部３４と、記憶部３５と、信号出力部３６と、移報出力部３７と、移報出力部３８とを備えている。
【００２０】
制御部３０は、火災受信機２を構成する各部の制御を行う。インターフェース部３１は、端末機器と接続され、端末機器と各種信号の送受信を行う。インターフェース部３２は、防災表示装置１と接続され、防災表示装置１と各種信号の送受信を行う。表示部３３は、必要な各種表示を行い、操作部３４は、ユーザの各種操作入力を受け付ける。信号出力部３６は、非常放送装置４０と接続され、各種移報信号を出力する。移報出力部３７は、表示機４１と接続され、各種移報信号を出力する。移報出力部３８は、外部装置４２と接続され、各種移報信号を出力する。
【００２１】
記憶部３５は、制御部３０を動作させる制御プログラムや処理プログラム、連動データベース３５Ａ、移報データベース３５Ｂ、非常放送データベース３５Ｃ、遮断設定データベース３５Ｄ等を記憶する。
【００２２】
連動データベース３５Ａは、端末機器に対する連動機能を設定するデータベースである。連動データベース３５Ａは、連動元の端末機器からのイベントに関する情報（信号）を受信したときに、連動先の端末機器に制御信号を送信して連動動作させるためのデータベースであり、連動元の端末機器のアドレスと当該アドレスに対応して連動先の端末機器のアドレスとが記憶された連動データが複数記憶されている。例えば、連動元の端末機器は、煙感知器２０や熱感知器２１等の火災感知器、発信機２２であり、連動先の端末機器は、地区ベル装置２３、防火戸２５や加圧排煙機２６や排煙機２７等の防排煙機器、消火ポンプ２８等の被制御機器である。
【００２３】
移報データベース３５Ｂは、他の機器に対する移報機能を設定するデータベースである。移報データベース３５Ｂは、移報元の端末機器からのイベントに関する情報（信号）を受信したときに、移報先の他の機器に移報信号を出力して移報動作させるためのデータベースであり、移報元の端末機器のアドレスと当該アドレスに対応して移報先の他の機器の種別ＩＤとが記憶された移報データが複数記憶されている。例えば、移報元の端末機器は、煙感知器２０や熱感知器２１等の火災感知器、発信機２２であり、移報先の他の機器は、表示機４１、その他の外部装置４２である。
【００２４】
非常放送データベース３５Ｃは、非常放送装置４０に対する移報機能を設定するデータベースである。非常放送データベース３５Ｃは、移報元の端末機器からのイベントに関する情報（信号）を受信したときに、移報先の非常放送装置４０に移報信号を出力して移報動作させるためのデータベースであり、移報元の端末機器のアドレスと当該アドレスに対応して移報先の非常放送装置４０の種別ＩＤとが記憶された移報データが記憶されている。例えば、移報元の端末機器は、煙感知器２０や熱感知器２１等の火災感知器、発信機２２である。
【００２５】
遮断設定データベース３５Ｄは、前記した端末機器に対する連動機能に関する連動遮断、及び他の機器に対する移報機能に関する移報遮断を設定するデータベースであり、操作部３４による操作入力、及び後述する防災表示装置１による操作入力により、遮断状態の設定及び解除を可能に構成されている。具体的には、連動データベース３５Ａ、移報データベース３５Ｂ、及び非常放送データベース３５Ｃのそれぞれに対して、連動遮断、及び移報遮断の設定状態として、遮断状態であるか、又は遮断解除状態であるかが記憶されている。なお、初期設定時は、それぞれのデータベース３５Ａ、３５Ｂ、３５Ｃに対して、遮断解除状態が記憶されている。
【００２６】
つぎに、防災表示装置１について説明する。防災表示装置１は、火災受信機２からのデータ信号を受けて、平常時及びイベント発生時に、所定の画面（画像）を表示し、現在の状況や警報を表示する。また、火災受信機２からの信号（情報）に応じて画像を表示するだけでなく、防災表示装置１における操作により、火災受信機２や、火災受信機２を介して端末機器の動作を制御することができる。
【００２７】
防災表示装置１は、図１に示すように、インターフェース部１１と、外部記録媒体駆動部１２と、記憶部１３と、画像出力部１４と、ＣＲＴ表示部１５と、操作入力部１６と、マウス１７と、制御部１９とを備えている。また、防災表示装置１には、電源供給源として、ブレーカ４を介して接続された商用電源３と、予備電源装置５とが接続されている。
【００２８】
インターフェース部１１は、火災受信機２と接続され、火災受信機２から送信される端末機器に関するイベント情報などを受信し、また、各種制御情報を送信する。外部記録媒体駆動部１２は、外部記録媒体６に対して、各種情報の格納や読み出しを行う。
【００２９】
ＣＲＴ表示部１５は、画像出力部１４を介して出力される画像をＣＲＴに表示する。なお、表示部は必ずしもＣＲＴでなくともよく、ＬＣＤやプラズマ表示部等であってもよい。
【００３０】
操作入力部１６は、マウス１７が接続され、ＣＲＴ表示部１５の画面上にポインタを表示し、マウス１７の移動操作に基づいてそのポインタを移動し、クリック操作による入力を判別して制御部１９に通知する。
【００３１】
制御部１９は、防災表示装置１を構成する各部を制御する。例えば、制御部１９は、受信したイベント情報に基づいて、ＣＲＴ表示部１５に各種画面（画像）を切替、及び更新表示させる処理を行う。
【００３２】
記憶部１３は、制御部１９を動作させる制御プログラムや処理プログラム、ＣＲＴ表示部１５に表示する各種画像データ、等が記憶される。また、記憶部１３は、図示しないが、連動データベース１３Ａ、移報データベース１３Ｂ、非常放送データベース１３Ｃ、遮断設定データベース１３Ｄ等を記憶する。
【００３３】
連動データベース１３Ａは、端末機器に対する連動機能を設定するデータベースである。連動データベース１３Ａは、火災受信機２において、連動元の端末機器からのイベントに関する情報（信号）を受信したときに、連動先の端末機器に制御信号を送信して連動動作させるためのデータベースであり、火災受信機２の連動データベース３５Ａと同様であるため、詳細な説明を省略する。
【００３４】
移報データベース１３Ｂは、他の機器に対する移報機能を設定するデータベースである。移報データベース１３Ｂは、火災受信機２において、移報元の端末機器からのイベントに関する情報（信号）を受信したときに、移報先の他の機器に移報信号を出力して移報動作させるためのデータベースであり、火災受信機２の移報データベース３５Ｂと同様であるため、詳細な説明を省略する。移報先の他の機器は、表示機４１、その他の外部装置４２である。
【００３５】
非常放送データベース１３Ｃは、非常放送装置４０に対する移報機能を設定するデータベースである。非常放送データベース１３Ｃは、火災受信機２において、移報元の端末機器からのイベントに関する情報（信号）を受信したときに、移報先の非常放送装置４０に移報信号を出力して移報動作させるためのデータベースであり、火災受信機２の非常放送データベース３５Ｃと同様であるため、詳細な説明を省略する。
【００３６】
遮断設定データベース１３Ｄは、火災受信機２における、前記した端末機器に対する連動機能に関する連動遮断、及び他の機器に対する移報機能に関する移報遮断を設定するデータベースであり、マウス１７による操作入力、及び前記した火災受信機２による操作入力により、遮断状態の設定及び解除を可能に構成されている。具体的には、火災受信機２の遮断設定データベース３５Ｄと同様で、連動データベース１３Ａ、移報データベース１３Ｂ、及び非常放送データベース１３Ｃのそれぞれに対して、連動遮断、及び移報遮断の設定状態として、遮断状態であるか、又は遮断解除状態であるかが記憶されている。なお、初期設定時は、それぞれのデータベース１３Ａ、１３Ｂ、１３Ｃに対して、遮断解除状態が記憶されている。
【００３７】
また、遮断設定データベース１３Ｄ、又は火災受信機２の遮断設定データベース３５Ｄにおける設定状態の変更があったときには、変更のあった側の装置（防災表示装置１又は火災受信機２）は、他方の装置に変更内容を通知し、他方の装置は、自身の遮断設定データベース１３Ｄ，３５Ｄにおける設定状態を変更して記憶する。このように、防災表示装置１の遮断設定データベース１３Ｄと火災受信機２の遮断設定データベース３５Ｄとは、記憶内容が同期保存されるようになっている。
【００３８】
図３は、図１のＣＲＴ表示部１５の画面の基本構成を示す図である。ＣＲＴ表示部１５の画面は、メニューバー表示エリア、時刻表示エリア、グラフィックエリア、平面キープランエリア、断面キープランエリア、防災用動力表示エリア、アラームリストエリア、消防活動支援エリア、及び基本表示操作エリアから構成されている。
【００３９】
メニューバー表示エリアは、各種のスイッチを表示するエリアであり、時刻表示エリアは現在の日時を表示するエリアである。
【００４０】
グラフィックエリアは、制御部１９の制御により、各種画面を切替表示可能なエリアであり、主に建物の各フロアのイメージ画像（例えば、平面図）を表示するエリアである。各フロアを表示する場合、フロアの概要とともに前述の端末機器がそれぞれ固有のシンボルで、設置されている実際の場所に対応するように表示される。
【００４１】
また、グラフィックエリアは、端末機器に関するイベント情報を受信すると、そのイベント発生元の端末機器のシンボルを、その他の端末機器のシンボルとは異なる様態で示した、設置エリアのイメージ画像（例えば、フロアの平面図）であるイベント報知画面６０を、自動的に切替表示するエリアである。
【００４２】
図３は、地下１Ｆ・地上３０Ｆの３棟（タワーＡ、Ｂ、Ｃ）の高層マンションにおいて、建物（タワーＡ）の２階に設置された２個の煙感知器２０に関するイベント情報（火災信号）を受信したときのイベント報知画面６０をグラフィックエリアに切替表示した例を示している。
【００４３】
このイベント報知画面６０（火災を発報したフロアの平面図）は、制御部１９の制御により、２個の煙感知器２０のシンボルが設置された２階平面図の画像データが記憶部１３から読み出されてグラフィックエリアに切替表示される。発報した２個の煙感知器２０のシンボル５１ａ、５１ｂは同一平面図上に配置されている他の端末機器のシンボルと識別できるように色を赤等に変化して点滅表示され、点滅表示のシンボルと同じ警戒区域（例えば同じ部屋）に配置されている炎シンボル５２ａ、５２ｂは赤等に変化して表示される。
【００４４】
また、グラフィックエリアは、メニューバー表示エリアに表示された各スイッチの選択操作による画面を表示するエリアであり、例えば、「受信機操作」スイッチの操作により後述する受信機操作画面７０（図４）を表示可能なエリアである。受信機操作画面７０は、遮断設定データベース１３Ｄにおける各種遮断設定を変更するための画面である。
【００４５】
平面キープランエリアは、制御部１９の制御により、グラフィックエリアに表示された平面図と同じフロアの縮小全体平面図（図示せず）をウィンドウ表示するエリアである。断面キープランエリアは、制御部１９の制御により、建物の全体の概略縦断面図をウィンドウ表示するエリアで、建物全体の階数が一目でわかるようになっている。具体的には、建物の各フロアに対応してフロア選択スイッチ５０が配列されたフロア選択ウィンドウ画面を表示するエリアであり、この各フロア選択スイッチ５０は、ユーザによる選択操作により、例えば、黒色反転表示に変化するとともに、対応するフロアの平面図がグラフィックエリアに表示される。
【００４６】
防災用動力表示エリアは、各種の端末機器のうち、排煙機２７、消火ポンプ２８で発生したイベント情報を個別表示するエリアであり、受信したイベント情報に基づいて、制御部１９の制御により、イベント情報が更新表示される。
【００４７】
アラームリストエリアは、各種の端末機器で発生したイベント情報を時系列に表示するエリアであり、受信したイベント情報に基づいて、制御部１９の制御により、イベント情報が更新表示される。なお、アラームリストエリアは、最新５個のイベント情報を表示可能な表示エリアであり、それ以前のイベント情報は、スクロール操作により、表示可能となっている。各イベント情報に関連して、イベント発生日時、端末機器名称、イベント内容、端末機器の設置場所、棟階番号が一覧表示可能である。
【００４８】
消防活動支援エリアは、消防活動の支援に要する各種スイッチを備える画像を表示するためのエリアであり、基本表示操作エリアは、火災断定、画面消去、復旧、音響停止等の各種スイッチを備える画像を表示するエリアである。
【００４９】
つぎに、遮断設定データベース１３Ｄにおける各種遮断設定を変更する動作について説明する。図４は、遮断設定に関する各種画面７０，８０の表示例と遮断状態の解除に関する動作フローとを示す図である。
【００５０】
遮断設定データベース１３Ｄにおける各種遮断設定を変更したい場合、ユーザは、前述したように、メニューバー表示エリアに表示された「受信機操作」スイッチを操作する（ステップＳ１）。すると、制御部１９により、受信機操作画面７０が記憶部１３から読み出されて、グラフィックエリアに表示される。
【００５１】
受信機操作画面７０は、一括連動遮断スイッチ７１と一括移報遮断スイッチ７２と非常放送遮断スイッチ７３を備えている。
【００５２】
一括連動遮断スイッチ７１は、火災受信機２における端末機器に対する連動機能について、全ての連動機能（連動データ）を遮断状態とするか、又は遮断解除状態とするかを選択するスイッチである。この一括連動遮断スイッチ７１は、遮断設定データベース１３Ｄにおける連動データベース１３Ａに対する連動遮断の設定状態を表示するようになっており、連動遮断解除状態では通常表示（例えば、背景白表示）され、連動遮断状態では注意表示（例えば、背景赤表示）される。
【００５３】
一括移報遮断スイッチ７２は、火災受信機２における他の機器（表示機４１，外部装置４２）に対する移報機能について、全ての移報機能（移報データ）を遮断状態とするか、又は遮断解除状態とするかを選択するスイッチである。この一括移報遮断スイッチ７２は、遮断設定データベース１３Ｄにおける移報データベース１３Ｂに対する移報遮断の設定状態を表示するようになっており、移報遮断解除状態では通常表示（例えば、背景白表示）され、移報遮断状態では注意表示（例えば、背景赤表示）される。
【００５４】
非常放送遮断スイッチ７３は、火災受信機２における非常放送装置４０に対する移報機能について、当該移報機能（移報データ）を遮断状態とするか、又は遮断解除状態とするかを選択するスイッチである。この非常放送遮断スイッチ７３は、遮断設定データベース１３Ｄにおける非常放送データベース１３Ｃに対する移報遮断の設定状態を表示するようになっており、移報遮断解除状態では通常表示（例えば、背景白表示）され、移報遮断状態では注意表示（例えば、背景赤表示）される。
【００５５】
図４に示す例では、一括連動遮断スイッチ７１、一括移報遮断スイッチ７２、及び非常放送遮断スイッチ７３は、いずれも移報，連動の遮断状態が設定されていることを示す注意表示がなされている。
【００５６】
つぎに、ユーザは、変更したい遮断設定に対応するスイッチ７１、７２，７３を操作する。図４に示す例では、一括連動遮断スイッチ７１を操作する（ステップＳ２）。すると、制御部１９により、確認メッセージ画面８０が記憶部１３から読み出されて、グラフィックエリアに表示される。
【００５７】
確認メッセージ画面８０は、解除スイッチ８１とキャンセルスイッチ８２を備えている。また、確認メッセージ画面８０は、「一括連動遮断を解除します。処理を実行しますか？」などの遮断解除操作の確認を促す確認メッセージを表示する。
【００５８】
ユーザは、確認メッセージを確認し、遮断解除操作を引き続き行う場合は、解除スイッチ８１を操作する（ステップＳ３）。すると、制御部１９により、一括連動遮断が解除されて、遮断設定データベース１３Ｄにおける連動データベース１３Ａに対する連動遮断の設定状態を、解除状態に変更して記憶する。同時に、確認メッセージ画面８０を消去し、一括連動遮断スイッチ７１を、遮断解除状態を示す通常表示（例えば、背景白表示）に変更した受信機操作画面７０を再表示する。
【００５９】
一方、ユーザは、確認メッセージを確認し、遮断解除操作をキャンセルする場合は、キャンセルスイッチ８２を操作する（ステップＳ４）。すると、制御部１９により、確認メッセージ画面８０を消去し、一括連動遮断を解除することなく、一括連動遮断スイッチ７１を注意表示（例えば、背景赤表示）した、ステップＳ２操作前の元の遮断設定状態を示す受信機操作画面７０を再表示する。
【００６０】
なお、上記の説明では、ステップＳ２において、一括連動遮断スイッチ７１を操作する場合について説明したが、一括移報遮断スイッチ７２、及び非常放送遮断スイッチ７３を操作した場合も同様の動作であり、ステップＳ２の操作後は、対応する確認メッセージを表示する確認メッセージ画面８０を表示し、ステップＳ３の操作後は、遮断設定データベース１３Ｄにおける対応するデータベース１３Ｂ，１３Ｃに対する移報遮断の設定状態を、解除状態に変更して記憶する、などが行われる。
【００６１】
また、受信機操作画面７０において、各種スイッチ７１〜７３が、移報，連動の遮断解除状態が設定されていることを示す通常表示の場合は、当該スイッチ７１〜７３に対して操作入力がなされても、確認メッセージ画面８０を表示することなく、制御部１９により、対応する連動，移報遮断の設定状態が、遮断状態に変更されて、遮断設定データベース１３Ｄに記憶される。同時に、対応するスイッチ７１〜７３を、遮断状態を示す注意表示（例えば、背景赤表示）に変更した受信機操作画面７０を再表示する。
【００６２】
また、上述した各種遮断設定を変更する動作は、火災受信機２においても同様に処理を行うことができる。つまり、詳細には説明しないが、火災受信機２は、制御部３０の制御のもと、操作部３４の操作入力により、遮断設定に関する各種画面７０，８０などを表示部３３に表示して、遮断設定データベース３５Ｄにおける各種遮断設定を変更して記憶することができる。
【００６３】
次に、上記のように構成された防災システムにおける動作について説明する。上述した通り、通常時、火災受信機２は、操作部３４の操作入力により、遮断設定データベース３５Ｄにおける設定状態の変更が可能であり、また、防災表示装置１も同様に、マウス１７の操作入力により、遮断設定データベース１３Ｄにおける設定状態の変更が可能であり、設定状態の変更があった場合は同期することにより、同一内容に更新保存されるようになっている。
【００６４】
ここで、防災システム内で火災が発生すると、火災を検出した火災感知器は火災信号を火災受信機２に送信する。これを受けて火災受信機２は、遮断設定データベース３５Ｄを参照し、連動データベース３５Ａ，移報データベース３５Ｂ，非常放送データベース３５Ｃに対する連動，移報遮断の設定を確認し、遮断解除状態が設定されているデータベース３５Ａ、３５Ｂ，３５Ｃに対しては、連動，移報動作を行う。例えば、連動データベース３５Ａに関連しては、火災を検出した火災感知器を連動元とする連動先の端末機器に対して制御信号を送信し、当該連動先の端末機器を連動動作させる。また、火災受信機２は、関連するイベント情報を防災表示装置１に出力する。
【００６５】
防災表示装置１は、受信したイベント情報を記憶部１３に記憶するとともに、このイベント情報に対応して、ＣＲＴ表示部１５の表示を更新する。例えば、グラフィックエリアには、前述したイベント報知画面６０（火災報知画面）としての火災を発報したフロアの平面図が、強制的に切替表示される。また、平面キープランエリアには、火災を発報したフロアの縮小全体平面図が表示され、断面キープランエリアには、火災を発報したフロアに対応するフロア選択スイッチ５０が他の階とは異なる背景色（例えば、赤色）で表示される。アラームリストエリアには、受信したイベント情報が一覧表示される。
【００６６】
以上、説明したとおり、この発明は、火災受信機２における端末機器２０〜２８に対する連動機能、又は他の機器４０〜４２に対する移報機能に関する遮断状態の設定及び解除を可能に構成されている火災受信機２の遮断解除装置（防災表示装置１又は火災受信機２）において、前記遮断状態を解除する操作入力があったときに、当該解除操作を確認する確認メッセージ画面８０を表示するように構成したので、一回のスイッチ操作で遮断状態が解除されなくなったので、誤操作により遮断状態が解除されてしまうことがなくなる。
【００６７】
また、前記連動機能に関する遮断は、一括連動遮断であり、また、前記移報機能に関する遮断は、一括移報遮断、又は非常放送遮断のいずれかであるので、一括して連動，移報などの遮断設定を変更することなどもでき、設定変更が簡便である。
【００６８】
前記実施の形態では、火災受信機２は、他の機器に対する移報機能を設定するデータベースとして、非常放送装置４０専用に非常放送データベース３５Ｃを備えるようにしたが、移報データベース３５Ｂに組み込まれてもよい。
【００６９】
また、前記実施の形態では、防災表示装置１は、他の機器に対する移報機能を設定するデータベースとして、非常放送装置４０専用に非常放送データベース１３Ｃを備えるようにしたが、移報データベース１３Ｂに組み込まれてもよい。
【００７０】
また、前記実施の形態では、前記連動遮断の設定変更は、全ての連動データに対して遮断設定を一括して変更する一括連動遮断であるとして説明したが、例えば、端末機器の種別毎、端末機器の設置場所毎（棟別毎）など、個別の連動データに対して、それぞれ連動遮断の設定を変更できるようにしてもよい。
【００７１】
また、前記実施の形態では、前記移報遮断の設定変更は、全ての移報データに対して遮断設定を一括して変更する一括移報遮断であるとして説明したが、例えば、表示機４１毎、又は外部装置４２毎など、個別の移報データに対して、それぞれ移報遮断の設定を変更できるようにしてもよい。
【符号の説明】
【００７２】
１  防災表示装置、２  火災受信機、３  商用電源、４  ブレーカ、５  予備電源装置、６  外部記録媒体、１１  インターフェース部、１２  外部記録媒体駆動部、１３  記憶部、１３Ａ  連動データベース、１３Ｂ  移報データベース、１３Ｃ  非常放送データベース、１３Ｄ  遮断設定データベース、１４  画像出力部、１５  ＣＲＴ表示部、１６  操作入力部、１７  マウス、１９  制御部、２０  煙感知器、２１  熱感知器、２２  発信機、２３  地区ベル装置、２４  ガス漏れ検知器、２５  防火戸、２６  加圧排煙機、２７  排煙機、２８  消火ポンプ、３０  制御部、３１  インターフェース部、３２  インターフェース部、３３  表示部、３４  操作部、３５  記憶部、３５Ａ  連動データベース、３５Ｂ  移報データベース、３５Ｃ  非常放送データベース、３５Ｄ  遮断設定データベース、３６  信号出力部、３７  移報出力部、３８  移報出力部、４０  非常放送装置、４１  表示機、４２  外部装置、５０  フロア選択スイッチ、６０  イベント報知画面、７０  受信機操作画面、７１  一括連動遮断スイッチ、７２  一括移報遮断スイッチ、７３  非常放送遮断スイッチ、８０  確認メッセージ画面、８１  解除スイッチ、８２  キャンセルスイッチ。
【図１】
2016148977.tif 000003
【図２】
2016148977.tif 000004
【図３】
2016148977.tif 000005
【図４】
2016148977.tif 000006